(57)【要約】【課題】スムーズに摺動できるとともに、火災等が発生しても上部建造物を下部建造物で安全に支承できる可動支承装置を提供することを目的とする。【解決手段】上部建造物１０２及び下部建造物１０１における対向部分に配設したソールプレート１０及びベースプレート２０で構成された可動支承装置１において、ソールプレート１０とベースプレート２０との間にベースポット３０が備えられ、上沓摺動面１２’及び下沓摺動面２２’が凸状曲面であり、上側摺動面３２’及び下側摺動面３３’が凹状曲面である。【選択図】図１
2018076701.tif 000002
【特許請求の範囲】
【請求項１】
上部建造物及び下部建造物における対向部分に配設した上沓及び下沓で構成され、該上沓及び該下沓の対向部分における摺動面同士が摺動する可動支承装置であって、
前記上沓及び前記下沓のうち一方の沓の前記摺動面が、相対的に摺動する第一方向に対して直交する第二方向の断面形状において他方の沓に向かって突出する曲面であり、
前記上沓及び前記下沓のうち他方の沓の摺動面が、前記第二方向の断面形状において凹状の曲面である
可動支承装置。
【請求項２】
上部建造物及び下部建造物における対向部分に配設した上沓及び下沓で構成され、該上沓及び該下沓の対向部分における摺動面同士が摺動する可動支承装置であって、
前記上沓と前記下沓との間に、それぞれの前記摺動面と摺動可能な摺動面を有する支承部材が備えられ、
前記上沓の摺動面である上沓摺動面及び前記支承部材における前記上沓に対向する上側摺動面のうち一方が、第一方向に直交する第二方向の断面形状において他方に向かって突出する曲面であり、
前記上沓摺動面及び前記上側摺動面のうち他方が、前記第二方向の断面形状において凹状の曲面であり、
前記下沓の摺動面である下沓摺動面及び前記支承部材における前記下沓に対向する下側摺動面のうち一方が、前記第一方向の断面形状において他方に向かって突出する曲面であり、
前記下沓摺動面及び前記下側摺動面のうち他方が、前記第一方向の断面形状において凹状の曲面である
可動支承装置。
【請求項３】
上部建造物及び下部建造物における対向部分に配設した上沓及び下沓で構成され、該上沓及び該下沓の対向部分における摺動面同士が摺動する可動支承装置であって、
前記上沓と前記下沓との間に、それぞれの前記摺動面と摺動可能な摺動面を有する支承部材が備えられ、
前記上沓の摺動面である上沓摺動面が相対的に摺動する第一方向に直交する第二方向より前記第一方向に長く形成され、
前記支承部材における前記上沓に対向する上側摺動面が、前記上沓摺動面より前記第一方向の長さが短く形成され、
前記上沓摺動面及び前記上側摺動面のうち一方が、前記第二方向の断面形状において他方に向かって突出する曲面であり、
前記上沓摺動面及び前記上側摺動面のうち他方が、前記第二方向の断面形状において凹状の曲面であり、
前記下沓の摺動面である下沓摺動面が、前記第一方向より前記第二方向に長く形成され、
前記支承部材における前記下沓に対向する下側摺動面が、前記下沓摺動面より前記第二方向の長さが短く形成され、
前記下沓摺動面及び前記下側摺動面のうち一方が、前記第一方向の断面形状において他方に向かって突出する曲面であり、
前記下沓摺動面及び前記下側摺動面のうち他方が、前記第一方向の断面形状において凹状の曲面である
可動支承装置。
【請求項４】
対向する前記摺動面を構成する摺動面部材のうち少なくとも一方がフッ素樹脂材で構成されている
請求項１乃至請求項３のうちいずれかに記載の可動支承装置。
【発明の詳細な説明】
【技術分野】
【０００１】
この発明は、例えば、下部建造物で上部建造物を支承する建築分野や土木分野における可動支承装置に関する。
【背景技術】
【０００２】
従来より、例えば、橋梁、免震建造物、あるいは固定建造物同士を接続する接続部分等の相対的に可動する建造物では、主桁等の被支持建造物（上部建造物）と、橋脚等の支持建造物（下部建造物）との間に配設され、被支持建造物に固定された上沓と、支持建造物に固定された下沓との境界面、つまり摺動面同士が摺動する可動支承装置が設けられる。
【０００３】
例えば、特許文献１に開示された可動支承装置は、下沓の摺動面が所定の方向に長く形成され、上沓の下沓に対する長手方向の摺動を許容する構成である。  
このような可動支承装置では、支承装置の取付誤差や建造物の変位等によって摺動面同士が偏当たりしないように、建造物と沓との間にゴム等の弾性変形材を配置したり、沓における摺動面部材をゴム等の弾性変形材で支持するように構成している。このように、ゴム等の変形可能な弾性変形材を配置することによって、弾性変形材が変形し、摺動面が偏当たりすることを防止できる。
【０００４】
しかしながら、このようなゴム等の弾性変形材が備えられた可動支承装置が設けられた建造物に火災等が発生すると、ゴム等の弾性変形材は焼失するおそれがあり、ゴム等の弾性変形材が焼失することで可動支承装置の高さが大きく変化し、可動支承装置で支承している建造物が損傷するおそれがあった。
【先行技術文献】
【特許文献】
【０００５】
【特許文献１】特開平９−２１０１２１号公報
【発明の概要】
【発明が解決しようとする課題】
【０００６】
そこで本発明では、スムーズに摺動できるとともに、火災等が発生しても上部建造物を下部建造物で安全に支承できる可動支承装置を提供することを目的とする。
【課題を解決するための手段】
【０００７】
この発明は、上部建造物及び下部建造物における対向部分に配設した上沓及び下沓で構成され、該上沓及び該下沓の対向部分における摺動面同士が摺動する可動支承装置であって、前記上沓及び前記下沓のうち一方の沓の前記摺動面が、相対的に摺動する第一方向に対して直交する第二方向の断面形状において他方の沓に向かって突出する曲面であり、前記上沓及び前記下沓のうち他方の沓の摺動面が、前記第二方向の断面形状において凹状の曲面であることを特徴とする。
【０００８】
この発明により、スムーズに摺動できるとともに、火災等が発生しても上部建造物を下部建造物で安全に支承することができる。  
詳述すると、前記上沓及び前記下沓のうち一方の沓の前記摺動面が、相対的に摺動する第一方向に対して直交する第二方向の断面形状において他方の沓に向かって突出する曲面であり、前記上沓及び前記下沓のうち他方の沓の摺動面が、前記第二方向の断面形状において凹状の曲面であるため、ゴム等の弾性変形材を用いることなく、少なくとも第二方向において摺動面の偏当たりを防止して、摺動面同士のスムーズな摺動を実現することができる。
【０００９】
また、火災等によって焼失するおそれのあるゴム等の弾性変形材を用いていないため、火災等が発生しても、可動支承装置を介して、上部建造物を下部建造物で安全に支承することができる。
【００１０】
またこの発明は、上部建造物及び下部建造物における対向部分に配設した上沓及び下沓で構成され、該上沓及び該下沓の対向部分における摺動面同士が摺動する可動支承装置であって、前記上沓と前記下沓との間に、それぞれの前記摺動面と摺動可能な摺動面を有する支承部材が備えられ、前記上沓の摺動面である上沓摺動面及び前記支承部材における前記上沓に対向する上側摺動面のうち一方が、第一方向に直交する第二方向の断面形状において他方に向かって突出する曲面であり、前記上沓摺動面及び前記上側摺動面のうち他方が、前記第二方向の断面形状において凹状の曲面であり、前記下沓の摺動面である下沓摺動面及び前記支承部材における前記下沓に対向する下側摺動面のうち一方が、前記第一方向の断面形状において他方に向かって突出する曲面であり、前記下沓摺動面及び前記下側摺動面のうち他方が、前記第一方向の断面形状において凹状の曲面であることを特徴とする。
【００１１】
この発明により、火災等が発生しても前記上部建造物を前記下部建造物で安全に支承することができるという上述の効果に加え、前記上沓の摺動面である上沓摺動面及び前記支承部材における前記上沓に対向する上側摺動面のうち一方が、前記第一方向に直交する前記第二方向の断面形状において他方に向かって突出する曲面であり、前記上沓摺動面及び前記上側摺動面のうち他方が、前記第二方向の断面形状において凹状の曲面であり、前記下沓の摺動面である下沓摺動面及び前記支承部材における前記下沓に対向する前記下側摺動面のうち一方が、前記第一方向の断面形状において他方に向かって突出する曲面であり、前記下沓摺動面及び前記下側摺動面のうち他方が、前記第一方向の断面形状において凹状の曲面であるため、ゴム等の弾性変形材を用いることなく、第一方向及び第二方向において摺動面の偏当たりを防止して、摺動面同士のよりスムーズな摺動を実現することができる。
【００１２】
またこの発明は、上部建造物及び下部建造物における対向部分に配設した上沓及び下沓で構成され、該上沓及び該下沓の対向部分における摺動面同士が摺動する可動支承装置であって、前記上沓と前記下沓との間に、それぞれの前記摺動面と摺動可能な摺動面を有する支承部材が備えられ、前記上沓の摺動面である上沓摺動面が相対的に摺動する第一方向に直交する第二方向より前記第一方向に長く形成され、前記支承部材における前記上沓に対向する上側摺動面が、前記上沓摺動面より前記第一方向の長さが短く形成され、前記上沓摺動面及び前記上側摺動面のうち一方が、前記第二方向の断面形状において他方に向かって突出する曲面であり、前記上沓摺動面及び前記上側摺動面のうち他方が、前記第二方向の断面形状において凹状の曲面であり、前記下沓の摺動面である下沓摺動面が、前記第一方向より前記第二方向に長く形成され、前記支承部材における前記下沓に対向する下側摺動面が、前記下沓摺動面より前記第二方向の長さが短く形成され、前記下沓摺動面及び前記下側摺動面のうち一方が、前記第一方向の断面形状において他方に向かって突出する曲面であり、前記下沓摺動面及び前記下側摺動面のうち他方が、前記第一方向の断面形状において凹状の曲面であることを特徴とする。
【００１３】
この発明により、スムーズに摺動できるとともに、火災等が発生しても前記上部建造物を前記下部建造物で安全に支承することができるという上述の効果に加え、前記上沓と前記支承部材とが前記第一方向に摺動し、前記下沓と前記支承部材とが前記第二方向に摺動するため、前記上沓と前記下沓とは、前記支承部材を介して前記第一方向と前記第二方向とで構成する面方向において自在に摺動することができる。
【発明の効果】
【００１４】
本発明により、スムーズに摺動できるとともに、火災等が発生しても上部建造物を下部建造物で安全に支承できる可動支承装置を提供することができる。
【図面の簡単な説明】
【００１５】
【図１】可動支承装置の斜視図。
【図２】可動支承装置の分解斜視図。
【図３】可動支承装置の平面図。
【図４】可動支承装置の説明図。
【図５】可動支承装置の説明図。
【図６】可動支承装置の説明図。
【図７】他の実施形態の可動支承装置の説明図。
【発明を実施するための形態】
【００１６】
この発明の一実施形態を以下図１乃至図６と共に説明する。  
図１は可動支承装置１の斜視図を示し、図２は可動支承装置１の分解斜視図を示し、図３は可動支承装置１の平面図を示し、図４乃至図６は可動支承装置１の説明図を示している。なお、図１乃至図３では下部建造物１０１及び上部建造物１０２の図示を省略している。
【００１７】
詳しくは、図４（ａ）は可動支承装置１のＡ−Ａ矢視図（図３）を示し、図４（ｂ）は可動支承装置１のＢ−Ｂ矢視図（図３）を示し、図５（ａ）は可動支承装置１のＸ方向の鉛直面内の回転追従について説明するＡ−Ａ矢視図を示し、図５（ｂ）は可動支承装置１のＹ方向の鉛直面内の回転追従について説明するＢ−Ｂ矢視図を示している。
【００１８】
図６（ａ）はＸ方向及びＹ方向への相対移動について説明する平面図を示し、図６（ｂ）が可動支承装置１のＸ方向への相対移動について説明するＡ−Ａ矢視図を示し、図６（ｃ）が可動支承装置１のＹ方向への相対移動について説明するＢ−Ｂ矢視図を示している。
【００１９】
各図に示すように、可動支承装置１は、下部建造物１０１（図４参照）で上部建造物１０２（図４参照）をＸ方向及びＹ方向への相対移動可能に支承する二方向可動支承装置であり、下部建造物１０１の上部に配置するベースプレート２０（下沓に対応）と、上部建造物１０２の底部に配置するソールプレート１０（上沓に対応）と、ソールプレート１０とベースプレート２０との間に配置され、それぞれと摺動可能に構成されたベースポット３０（支承部材に対応）とで構成されている。  
なお、Ｘ方向及びＹ方向は、図３に示す平面視において互いに直交する方向であり、Ｚ方向は、図１に示すように、Ｘ方向及びＹ方向に対して直交する高さ方向である。
【００２０】
上部建造物１０２の底部に配置するソールプレート１０は、Ｙ方向よりもＸ方向に長く、上下方向であるＺ方向において下向きに凸な円弧状の上沓摺動面１２’を有する断面略蒲鉾型の部材である。  
詳しくは、ソールプレート１０は、Ｙ方向よりもＸ方向に長く、Ｚ方向において下向きに凸な円弧状の断面略蒲鉾型（断面略アーチ状）のソールプレート本体１１と、ソールプレート本体１１における下向きに凸な円弧状の底面の装着部１１ｘに固定する上沓摺動面部材１２とで構成される。上沓摺動面部材１２の底面が上沓摺動面１２’として形成されている。  
なお、装着部１１ｘに対して、ネジ止め等の固定手段、あるいは接着や溶接によって上沓摺動面部材１２を固定することができる。
【００２１】
下部建造物１０１の上面に配置するベースプレート２０は、Ｘ方向よりもＹ方向に長く、Ｚ方向において上向きに凸な円弧状の下沓摺動面２２’を有する断面略蒲鉾型の部材である。  
詳しくは、ベースプレート２０は、Ｘ方向よりもＹ方向に長く、Ｚ方向において上向きに凸な円弧状の断面略蒲鉾型（断面略アーチ状）のベースプレート本体２１と、ベースプレート本体２１における上向きに凸な円弧状の上面の装着部２１ｘに固定する下沓摺動面部材２２とで構成される。下沓摺動面部材２２の上面が下沓摺動面２２’として形成されている。  
なお、装着部２１ｘに対して、ネジ止め等の固定手段、あるいは接着や溶接によって下沓摺動面部材２２を固定することができる。
【００２２】
ベースポット３０は、ソールプレート１０及びベースプレート２０のそれぞれと摺動可能に、ソールプレート１０とベースプレート２０との間に配置される。  
ベースポット３０は、ソールプレート１０のＹ方向の長さよりひとまわり長いＹ方向の長さと、ベースプレート２０のＸ方向の長さよりひとまわり長いＸ方向の長さによる平面視矩形状であるとともに、Ｚ方向に所定の高さを有する直方体形状の部材である。
【００２３】
詳しくは、ベースポット３０は、組立状態において、ソールプレート１０よりＹ方向の両側に所定長さ突出するとともに、かつベースプレート２０よりＸ方向の両側に所定長さ突出する平面視略正方形状で、且つＺ方向の高さが、ソールプレート本体１１やベースプレート本体２１における凸な円弧状部分の高さの約４倍程度の高さである直方体形状のベースポット本体３１と、ベースポット本体３１における上面に形成されたＸ方向に延びる装着部３１ｘａに固定される上側摺動面部材３２と、ベースポット本体３１における底面に形成されたＹ方向に延びる装着部３１ｘｂに固定される下側摺動面部材３３とで構成されている。  
そして、上側摺動面部材３２の上面が上側摺動面３２’として形成され、下側摺動面部材３３の底面が下側摺動面３３’として形成されている。
【００２４】
なお、上側摺動面部材３２は、Ｙ方向の断面においてソールプレート１０の上沓摺動面部材１２の底面と同じ曲率及び形状の上面を有する凹型円弧状の曲面体である。装着部３１ｘａは、上側摺動面部材３２が固定される円弧状の溝であり、Ｘ方向に延びている。なお、上側摺動面部材３２は、上沓摺動面部材１２の底面と同じ曲率及び形状の上面を有していれば曲面体でなくてもよく、この場合、装着部３１ｘａは、円弧状でなく、曲面体でない上側摺動面部材３２の外形に応じた形状となる。
【００２５】
また、下側摺動面部材３３は、Ｘ方向の断面においてベースプレート２０の下沓摺動面部材２２の上面と同じ曲率及び形状の底面を有する凹型円弧状の曲面体である。装着部３１ｘｂは、下側摺動面部材３３が固定される円弧状の溝であり、Ｙ方向に延びている。なお、下側摺動面部材３３は、下沓摺動面部材２２の上面と同じ曲率及び形状の底面を有していれば曲面体でなくてもよく、この場合、装着部３１ｘｂは、円弧状でなく、曲面体でない下側摺動面部材３３の外形に応じた形状となる。
【００２６】
また、円弧状の溝である装着部３１ｘａ，３１ｘｂに嵌合させて上側摺動面部材３２や下側摺動面部材３３を固定するが、溝状でない装着部３１ｘａ，３１ｘｂの場合、上側摺動面部材３２や下側摺動面部材３３を、ネジ止め等の固定手段、あるいは接着や溶接によって固定してもよい。
【００２７】
なお、各摺動面部材１２，３３の底面と摺動面部材２２，３２の上面とで構成する摺動面１２’，２２’，３２’，３３’は曲率が変化しない同径の弦による断面円弧状の曲面である。  
また、摺動面１２’，２２’，３２’，３３’を構成する上沓摺動面部材１２、下沓摺動面部材２２、上側摺動面部材３２及び下側摺動面部材３３のうち対向する上沓摺動面部材１２及び上側摺動面部材３２、並びに下側摺動面部材３３及び下沓摺動面部材２２の組み合わせにおける少なくとも一方の摺動面部材を、フッ素樹脂（例えば、ポリテトラフルオロエチレン（ＰＴＦＥ））で形成し、他方の摺動面部材をフッ素樹脂（例えば、ＰＴＦＥ）かステンレス研磨板で形成している。
【００２８】
このように構成された可動支承装置１は、図３に示すように、ベースプレート２０とベースポット３０とがＹ方向に摺動可能であるとともに、ソールプレート１０とベースポット３０とがＸ方向に摺動可能である。したがって、上面にベースプレート２０を固定した下部建造物１０１と、底面にソールプレート１０を固定した上部建造物１０２とは、可動支承装置１を介して、Ｘ方向及びＹ方向に自在に摺動可能に構成されている。
【００２９】
具体的には、上部建造物１０２及び下部建造物１０１における対向部分に配設した可動支承装置１におけるソールプレート１０及びベースプレート２０と、ソールプレート１０とベースプレート２０との間に、それぞれの摺動面１２’，２２’と摺動可能な摺動面３２’，３３’を有するベースポット３０とが備えられている。
【００３０】
また、ソールプレート１０の上沓摺動面１２’が相対的に摺動するＸ方向に直交するＹ方向よりＸ方向に長く形成され、ベースポット３０におけるソールプレート１０に対向する上側摺動面３２’が、上沓摺動面１２’よりＸ方向の長さが短く形成される。上沓摺動面１２’がＹ方向の断面形状においてベースポット３０に向かって突出する曲面であり、上側摺動面３２’がＹ方向の断面形状において凹状の曲面である。
【００３１】
さらに、ベースプレート２０の下沓摺動面２２’がＸ方向よりＹ方向に長く形成され、ベースポット３０におけるベースプレート２０に対向する下側摺動面３３’が、下沓摺動面２２’よりＹ方向の長さが短く形成される。下沓摺動面２２’が、Ｘ方向の断面形状においてベースポット３０に向かって突出する曲面であり、下側摺動面３３’が、Ｘ方向の断面形状において凹状の曲面である。したがって、可動支承装置１は、スムーズに摺動できるとともに、火災等が発生しても上部建造物１０２を下部建造物１０１で安全に支承することができる。
【００３２】
詳述すると、図３及び図４に示すように、ソールプレート１０とベースポット３０とがＸ方向に摺動し、ベースプレート２０とベースポット３０とがＹ方向に摺動するため、ソールプレート１０とベースプレート２０とは、ベースポット３０を介してＸ方向とＹ方向とで構成する面方向において自在に摺動することができる。
【００３３】
また、上沓摺動面１２’が、Ｙ方向の断面形状においてベースポット３０に向かって突出する曲面であり、上側摺動面３２’が、Ｙ方向の断面形状において凹状の曲面であるため、図５（ｂ）に示すように、ベースポット３０とソールプレート１０とはＹ方向において角度調整可能となる。
【００３４】
また、下沓摺動面２２’が、Ｘ方向の断面形状においてベースポット３０に向かって突出する曲面であり、下側摺動面３３’が、Ｘ方向の断面形状において凹状の曲面であるため、図５（ａ）に示すように、ベースポット３０とベースプレート２０とはＸ方向において角度調整可能となる。
【００３５】
したがって、可動支承装置１では、下部建造物１０１と上部建造物１０２との相対角度が変化した場合や、可動支承装置１の組み付け精度などによっても上沓摺動面１２’とベースポット３０の上側摺動面３２’、ならびに下沓摺動面２２’とベースポット３０の下側摺動面３３’とが偏当たりすることなく摺動面１２’，２２’，３２’，３３’が確実に面当たりして、可動支承装置１はスムーズに摺動することができる。
【００３６】
また、摺動面１２’，２２’，３２’，３３’を構成するソールプレート１０における上沓摺動面部材１２、ベースプレート２０における下沓摺動面部材２２、並びにベースポット３０における上側摺動面部材３２及び下側摺動面部材３３のうち対向する上沓摺動面部材１２及び上側摺動面部材３２、並びに下側摺動面部材３３及び下沓摺動面部材２２の組み合わせの少なくとも一方をフッ素樹脂材（例えば、ＰＴＦＥ材）で構成しているため、摺動抵抗の増大を抑制し、スムーズに摺動させることができる。
【００３７】
詳述すると、摺動面１２’，２２’，３２’，３３’を曲面状に形成しているため、平面状の摺動面に比べ、摺動時において摺動面１２’，２２’，３２’，３３’に作用する接触圧は増大することとなる（図６（ｂ）のａ部拡大図及び図６（ｃ）のｂ部拡大図において図示する矢印参照）。
【００３８】
一般的に、フッ素樹脂材（例えば、ＰＴＦＥ材）は接触圧が増大すると摩擦係数が低下するため、曲面状に形成することで摺動面１２’，２２’，３２’，３３’に作用する接触圧が、平板状の摺動面同士が摺動する際の接触圧に比べて増大し、摺動面１２’，２２’，３２’，３３’同士の摺動時における摺動抵抗が低下し、スムーズに摺動させることができる。
【００３９】
したがって、図６（ａ）に示すように、Ｘ方向及びＹ方向に対して交差する方向（図６（ａ）では４５度）に摺動距離Ｌで相対的に摺動する場合であっても、Ｘ方向とＹ方向のそれぞれにおける摺動距離Ｌｘ，Ｌｙは摺動距離Ｌより短くなるとともに、曲面状に形成することによる摺動面１２’，２２’，３２’，３３’に作用する接触圧が増大し、摺動面１２’，２２’，３２’，３３’同士の摺動時における摺動抵抗が低下し、スムーズに摺動させることができる。
【００４０】
なお、上述の説明では、上沓摺動面１２’及び下沓摺動面２２’を凸状の断面円弧状の曲面で構成し、上側摺動面３２’及び下側摺動面３３’を凹状の断面円弧状の曲面で構成したが、上沓摺動面１２’及び下沓摺動面２２’を凹状の断面円弧状の曲面で構成し、上側摺動面３２’及び下側摺動面３３’を凸状の断面円弧状の曲面で構成してもよい。
【００４１】
また、上沓摺動面１２’及び下側摺動面３３’を凸状の断面円弧状の曲面で構成し、下沓摺動面２２’及び上側摺動面３２’を凹状の断面円弧状の曲面で構成してもよく、逆に、上沓摺動面１２’及び下側摺動面３３’を凹状の断面円弧状の曲面で構成し、下沓摺動面２２’及び上側摺動面３２’を凸状の断面円弧状の曲面で構成してもよい。
【００４２】
さらには、上沓摺動面１２’と上側摺動面３２’及び下沓摺動面２２’と下側摺動面３３’とは、それぞれが同じ径の断面円弧状の曲面であれば、上沓摺動面１２’及び上側摺動面３２’と下沓摺動面２２’及び下側摺動面３３’とで径の異なる断面円弧状の曲面で構成してもよい。
【００４３】
また、上述の説明では、摺動面１２’，２２’，３２’，３３’を同径の弦による断面円弧状の曲面で構成したが、途中で曲率が変化しなければ、断面半円状の断面円弧状の曲面で構成してもよい。
【００４４】
さらに、上述の説明では、ベースポット３０を介して、可動支承装置１はＸ方向及びＹ方向のそれぞれに摺動可能に構成したが、例えば、図７（ａ）に示すように、ソールプレート１０ａのＸ方向の長さをベースポット３０と略同じ長さ程度で構成するとともに、ソールプレート１０ａに対してベースポット３０がＸ方向に移動することのないように、ソールプレート１０ａにストッパ１３を備えた可動支承装置１ａを構成してもよい。
【００４５】
このように構成された可動支承装置１ａは、ベースプレート２０に対してベースポット３０がＹ方向に移動できるため一方向可動支承装置を構成する。また、ソールプレート１０ａの上沓摺動面１２’とベースポット３０の上側摺動面３２’とによるＹ方向における角度調整と、ベースプレート２０の下沓摺動面２２’とベースポット３０の下側摺動面３３’とによるＸ方向における角度調整とを行うことで、可動支承装置１ａでは、下部建造物１０１と上部建造物１０２との相対角度が変化した場合や、可動支承装置１ａの組み付け精度などによっても上沓摺動面１２’とベースポット３０の上側摺動面３２’、ならびに下沓摺動面２２’とベースポット３０の下側摺動面３３’とが偏当たりすることなく、摺動面１２’，２２’，３２’，３３’のそれぞれが確実に面当たりして、可動支承装置１ａはスムーズに摺動することができる。
【００４６】
もちろん、図示省略するが、可動支承装置１ａとして、ベースプレート２０のＹ方向の長さをベースポット３０と略同じ長さ程度で構成するとともに、ベースプレート２０に対してベースポット３０がＹ方向に移動することのないように、ベースプレート２０にストッパを備えて構成してもよい。このように構成された可動支承装置１ａは、ソールプレート１０に対してベースポット３０がＸ方向に移動できる一方向可動支承装置として、上述の可動支承装置１ａと同様の効果を奏することができる。
【００４７】
さらには、ベースポット３０を備えることなく可動支承装置１ｂ，１ｃを構成してもよい。  
例えば、図７（ｂ）に示すように、可動支承装置１におけるベースポット３０と略同形状のソールプレート１０ｂと、Ｙ方向に長いベースプレート２０とで可動支承装置１ｂを構成し、ソールプレート１０ｂの底面に、ベースポット３０における装着部３１ｘｂと同じ、Ｙ方向の装着部１１ｘｂに、下側摺動面部材３３と同形状の上沓摺動面部材１２ｂを固定する。  
このように構成された可動支承装置１ｂは、ソールプレート１０ｂがベースプレート２０に対してＹ方向に摺動可能に構成されるとともに、Ｘ方向の角度調整も可能になる。
【００４８】
あるいは、図７（ｃ）に示すように、可動支承装置１におけるベースポット３０と略同形状のベースプレート２０ｃと、Ｘ方向に長いソールプレート１０とで可動支承装置１ｃを構成し、ベースプレート２０ｃの上面に、ベースポット３０における装着部３１ｘａと同じ、Ｘ方向の装着部２１ｘｃに、上側摺動面部材３２と同形状の下沓摺動面部材２２ｃを固定する。  
このように構成された可動支承装置１ｃは、ソールプレート１０がベースプレート２０ｃに対してＸ方向に摺動可能に構成されるとともに、Ｙ方向の角度調整も可能になる。
【００４９】
以上、本発明の構成と、前述の実施態様との対応において、上部建造物は上部建造物１０２に対応し、
以下同様に、
下部建造物は下部建造物１０１に対応し、
上沓はソールプレート１０，１０ａ，１０ｂに対応し、
下沓はベースプレート２０，２０ｃに対応し、
可動支承装置は可動支承装置１，１ａ，１ｂ，１ｃに対応し、
支承部材はベースポット３０に対応し、
上沓摺動面は上沓摺動面１２’に対応し、
第一方向はＸ方向に対応し、
第二方向はＹ方向に対応し、
上側摺動面は上側摺動面３２’に対応し、
下沓摺動面は下沓摺動面２２’に対応し、
下側摺動面は下側摺動面３３’に対応し、
摺動面部材は上沓摺動面部材１２，１２ｂ，下沓摺動面部材２２，２２ｃ，上側摺動面部材３２，下側摺動面部材３３に対応するも、上記実施形態に限定するものではない。
【符号の説明】
【００５０】
１，１ａ，１ｂ，１ｃ…可動支承装置
１０，１０ａ，１０ｂ…ソールプレート
１２，１２ｂ…上沓摺動面部材
１２’…上沓摺動面
２０，２０ｃ…ベースプレート
２２，２２ｃ…下沓摺動面部材
２２’…下沓摺動面
３０…ベースポット
３２…上側摺動面部材
３２’…上側摺動面
３３…下側摺動面部材
３３’…下側摺動面
１０１…下部建造物
１０２…上部建造物
【図１】
2018076701.tif 000003
【図２】
2018076701.tif 000004
【図３】
2018076701.tif 000005
【図４】
2018076701.tif 000006
【図５】
2018076701.tif 000007
【図６】
2018076701.tif 000008
【図７】
2018076701.tif 000009